(57)【要約】【課題】記録媒体からの紙粉などの異物の飛散を抑制しつつ、高品位の画像を簡易に記録可能の記録装置および記録方法を提供すること。【解決手段】刷毛４０１Ａによって、水タンク６０１内の水を記録媒体２０１に塗布する。環境の温度および湿度などに応じて刷毛４０１Ａの位置を変更することにより、水の塗布量を調整する。【選択図】図５
2017121741.tif 000002
【特許請求の範囲】
【請求項１】
記録媒体の搬送を伴って、前記記録媒体にインクを付与することによって画像を記録する記録装置であって、
前記インクが付与される前記記録媒体の面に液体を付与する付与手段と、
画像の記録条件に関する情報を取得する取得手段と、
前記取得手段によって取得された前記情報に基づいて、前記付与手段による液体の付与量を調整する調整手段と、
を有することを特徴とする記録装置。
【請求項２】
前記取得手段は、前記記録条件に関する情報として、環境温度、環境湿度、記録媒体の種類、記録画像の種類、記録媒体の含水量、およびインクの種類のうちの少なくとも１つに関する情報を取得し、
前記調整手段は、前記取得手段によって取得された環境温度、環境湿度、記録媒体の種類、記録画像の種類、記録媒体の含水量、およびインクの種類のうちの少なくとも１つに関する情報に基づいて、前記付与量を調整する
ことを特徴とする請求項１に記載の記録装置。
【請求項３】
前記調整手段は、前記記録媒体の含水量が多いほど前記液体の付与量を少なくすることを特徴とする請求項２に記載の記録装置。
【請求項４】
前記調整手段は、前記記録媒体の種類と、前記インクの種類と、に関係付けられたインクのにじみ率に基づいて、前記液体の付与量を調整することを特徴とする請求項２または３に記載の記録装置。
【請求項５】
前記調整手段は、前記にじみ率が大きいほど前記液体の付与量を少なくすることを特徴とする請求項４に記載の記録装置。
【請求項６】
前記調整手段は、前記記録条件と、前記液体の付与量と、前記記録条件において記録され基準画像の評価結果と、の関係に基づいて、前記液体の付与量を調整することを特徴とする請求項１から５のいずれか１項に記載の記録装置。
【請求項７】
前記基準画像はバーコードであることを特徴とする請求項６に記載の記録装置。
【請求項８】
前記調整手段は、前記記録画像の種類が記録精度の要求度の高い種類であるほど、前記液体の付与量を少なくすることを特徴とする請求項１から７のいずれか１項に記載の記録装置。
【請求項９】
前記調整手段は、前記取得手段によって取得された前記情報と、予め設定された基準記録条件に関する情報と、の比較結果に基づいて、前記液体の付与量を調整することを特徴とする請求項１から８のいずれか１項に記載の記録装置。
【請求項１０】
前記記録媒体と相対移動しかつインクを吐出可能な記録ヘッドを備え、
前記記録条件は、前記相対移動の速度を含むことを特徴とする請求項１から９のいずれか１項に記載の記録装置。
【請求項１１】
前記調整手段は、前記相対移動の速度が低いほど前記液体の付与量を少なくすることを特徴とする請求項１０に記載の記録装置。
【請求項１２】
前記液体は水を主成分とすることを特徴とする請求項１から１１のいずれか１項に記載の記録装置。
【請求項１３】
前記付与手段は、前記液体を前記記録媒体の表面に付与するための刷毛を含むことを特徴とする請求項１から１２のいずれか１項に記載の記録装置。
【請求項１４】
前記付与手段は、前記液体を吐出可能な液体吐出ヘッドを含むことを特徴とする請求項１から１３のいずれか１項に記載の記録装置。
【請求項１５】
記録媒体の搬送を伴って、前記記録媒体にインクを付与することによって画像を記録する記録方法であって、
前記インクが付与される前記記録媒体の面に液体を付与する付与工程と、
画像の記録条件に関する情報を取得する取得工程と、
前記取得工程において取得された前記情報に基づいて、前記付与工程における液体の付与量を調整する調整工程と、
を含むことを特徴とする記録方法。
【発明の詳細な説明】
【技術分野】
【０００１】
本発明は、記録媒体にインクを付与して画像記録する記録装置および記録方法に関するものである。
【背景技術】
【０００２】
このような記録装置においては、記録媒体の搬送経路を形成するベルト、ローラ、およびガイド部材が記録媒体と接触することにより、記録媒体の表面から、記録媒体の成分の一部、あるいは記録媒体に付着した塵埃などの異物が飛散するおそれがある。記録媒体が紙の場合、その表面からは、異物としての紙粉が飛散するおそれがあり、特に、記録速度の高速化に伴って記録媒体の搬送速度を高めたときには顕著となる。
【０００３】
このように記録媒体から飛散した異物は、記録装置内の電気部品および機械部品に付着して、それらの部品の機能に影響を及ぼすおそれがある。特に、インクジェット記録ヘッドの吐出口からインクを吐出して画像を記録するインクジェット記録装置においては、記録媒体から飛散した異物が吐出口の周辺に付着した場合に、インクの吐出性能が低下して、画像の記録品位の低下を招くおそれがある。
【０００４】
特許文献１，２には、記録媒体からの紙粉などの異物の飛散を抑制するために、記録媒体の側面、裁断部分、およびミシン目の部分、つまり記録媒体における画像の非記録領域に水などの液体を噴霧する方法が記載されている。また特許文献３には、記録媒体のカールの抑制、および高品位の画像を記録するために、記録媒体の全面に、水溶性有機溶剤を含有する液体を塗布する方法が記載されている。
【先行技術文献】
【特許文献】
【０００５】
【特許文献１】特開２００３−１７０５７９号公報
【特許文献２】特開２０１３−１０７２２１号公報
【特許文献３】特開２０１３−７５５１５号公報
【発明の概要】
【発明が解決しようとする課題】
【０００６】
特許文献１，２においては、記録媒体における非記録領域からの紙粉などの異物の飛散は抑制できるものの、記録媒体における記録領域からの異物の飛散は抑制できない。仮に、記録領域にも液体を付与した場合には、インクのにじみが大きくなって、画像の記録品位が低下するおそれがある。特に、バーコードのような画像を記録した場合には、その読み取りができなくなるおそれがある。一方、特許文献３においては特別な液体を用いるため、その製造および使用環境の整備が必要となると共に、記録結果物の高価格化を招くおそれがある。
【０００７】
本発明の目的は、記録媒体からの紙粉などの異物の飛散を抑制しつつ、高品位の画像を簡易に記録可能な記録装置および記録方法を提供することにある。
【課題を解決するための手段】
【０００８】
本発明の記録装置は、記録媒体の搬送を伴って、前記記録媒体にインクを付与することによって画像を記録する記録装置であって、前記インクが付与される前記記録媒体の面に液体を付与する付与手段と、画像の記録条件に関する情報を取得する取得手段と、前記取得手段によって取得された前記情報に基づいて、前記付与手段による液体の付与量を調整する調整手段と、を有することを特徴とする。
【発明の効果】
【０００９】
本発明によれば、記録媒体からの紙粉などの異物の飛散を抑制しつつ、高品位の画像を簡易に記録することができる。
【図面の簡単な説明】
【００１０】
【図１】本発明の第１の実施形態における記録装置の概略構成図である。
【図２】図１の記録装置の制御系のブロック図である。
【図３】図１の記録装置における要部の説明図である。
【図４】水の塗布量に関連する要件の説明図である。
【図５】記録動作を説明するための要部の側面図である。
【図６】記録動作を説明するための要部の側面図である。
【図７】記録動作を説明するためのフローチャートである。
【図８】水の塗布量に関連する要件の説明図である。
【図９】水の塗布量に関連する要件の説明図である。
【図１０】本発明の第２の実施形態における記録装置の概略構成図である。
【図１１】図１０の記録装置に備わる記録ヘッドの概略構成図である。
【図１２】図１０の記録装置のブロック図である。
【図１３】記録動作の説明図である。
【図１４】水の塗布量の調整機構の説明図である。
【図１５】水の塗布量と、刷毛の接触面積と、の関係の説明図である。
【発明を実施するための形態】
【００１１】
以下に、図面を参照して本発明の実施形態について説明する。なお、本実施形態は本発明の一例に過ぎず、本発明の要旨を変更しない範囲において適宣変更が可能である。
【００１２】
（第１の実施形態）
図１（ａ）は、本実施形態におけるインクジェット記録装置１０の構成例を説明するための概略構成図、図１（ｂ）は、記録装置１０の要部の側面図である。
【００１３】
本例の記録装置１０は、名刺、ハガキ、および封筒などの記録媒体２０１に対して、インクを吐出可能な長尺なインクジェット記録ヘッド（フルラインヘッド）２１０を用いて画像を記録するフルラインタイプの記録装置である。記録装置１０には、画像情報（記録データ）を送るホストＰＣ（パーソナルコンピュータ）などのホスト装置２０が接続されている。記録装置１０の本体（装置本体）の上部には、操作パネル１１０１が配置されている。その操作パネル１１０１によって、例えば、記録装置１０の操作環境の設定が可能であると共に、ＬＥＤなどによりインクタンク内のインクの残量状況等、装置本体に関する情報を取得することができる。装置本体の前面には、開閉可能な前カバー１１０２が取り付けられている。この前カバー１１０２を開けることにより、記録ヘッド２１０にインクを補給するためのインクタンクカードリッジ（図示せず）を装置本体に取り付けることができる。記録媒体２０１は、給紙トレイ１１０３上に積載される。装置本体の側部には、記録済みの記録媒体２０１を積載するための排紙トレイ１１０４が配備されている。
【００１４】
ピックアップローラ２０２は上下方向に移動可能であり、記録媒体２０１の搬送時には、下方向に移動して記録媒体２０１に当接することにより、その記録媒体２０１を１枚ずつ装置本体の内部に給送する。装置本体の内部に備わる搬送ベルト２０４は、搬送ローラ２０３により駆動される。搬送ベルト２０４は、ピックアップローラ２０２により給送される記録媒体２０１を受け取り、それを矢印Ａ方向に連続的に搬送する。搬送ベルト２０４と、その下側に位置する給紙ローラ２０５，２０６，２０７，２０８，２０９と、の間に、記録媒体２０１の搬送路４０２が形成されている。搬送ベルト２０４は、記録ヘッド２１０による記録動作を阻害しないように、記録ヘッド２１０と記録媒体２０１との対向位置を避けて配備されている。また、給紙ローラ２０５，２０６，２０７，２０８，２０９は、後述する水タンク６０２およびスポンジ６０１と干渉しない位置に配備されている。記録媒体２０１の搬送機構は、本例のような構成のみに特定されず任意であり、記録媒体２０１を搬送することができればよい。
【００１５】
本例の記録装置１０には、記録ヘッド２１０として、４つの記録ヘッド２１０Ｋ，２１０Ｃ，２１０Ｍ、２１０Ｙが記録媒体２０１の搬送方向（矢印Ａ方向）にずれて配備されている。記録ヘッド２１０Ｋ，２１０Ｃ，２１０Ｍ，２１０Ｙからは、それぞれブラック、シアン、マゼンタ、イエローのインクが吐出される。これらの記録ヘッド２１０（２１０Ｋ，２１０Ｃ，２１０Ｍ，２１０Ｙ）は、記録媒体の２０１の搬送方向と交差（本例の場合は、直交）する方向に延在する。また、これらの記録ヘッド２１０は、画像の記録動作中は定位置に固定されている。記録ヘッド２１０は、電気熱変換素子（ヒータ）やピエゾ素子などの吐出エネルギー発生素子を用いて、吐出口からインクを吐出する。電気熱変換素子を用いた場合には、その発熱によってインクを発泡させ、その発泡エネルギーを利用して吐出口からインクを吐出することができる。
【００１６】
装置本体には、記録ヘッド２１０からのインクの吐出状態を良好に維持するための回復ユニット（図示しない）が組み込まれている。回復ユニットには、インクの吐出状態を良好に維持するための回復動作のときに、記録ヘッド２１０における吐出口の形成面からインクを除去するためのキャッピング機構が備えられている。キャッピング機構は、周知のブレード、インク除去部材、ブレード保持部材、キャップ等から構成されている。また、回復ユニットは、キャップによる記録ヘッド２１０のキャッピング時に、記録ヘッド２１０内のインクをポンプ（図示しない）により吸引して、記録ヘッド２１０内のインクに含まれる気泡を除去することもできる。
【００１７】
記録媒体２０１に画像を記録する際には、記録媒体２０１を矢印Ａ方向に連続的に搬送する。そして、記録媒体２０１における記録開始位置がブラックインク吐出用の記録ヘッド２１０Ｋの下方に到達してから、記録データ（画像情報）に基づいて、記録ヘッド２１０Ｋにおける複数の吐出口からブラックインクを選択的に吐出する。同様に、記録開始位置が記録ヘッド２１０Ｃ，２１０Ｍ，２１０Ｙの下方に到達してから、それらの記録ヘッドからシアン、マゼンタ、イエローのインクを吐出する。これにより、記録媒体２０１にカラー画像が記録される。
【００１８】
図２は、記録装置１０の制御系の構成を説明するためのブロック図である。
【００１９】
ホスト装置２０から送信された記録データやコマンドは、インターフェイスコントローラ３０２を介してＣＰＵ１３０８に受信される。ＣＰＵ１３０８は、記録装置１０の記録データの受信、記録動作、記録媒体２０１のハンドリング等、記録装置１０の全般の制御を掌る演算処理装置である。ＣＰＵ１３０８は、ＡＳＩＣによって受信したコマンドを解析した後、記録データの各色成分のイメージデータをイメージメモリ３０４にビットマップ展開して、描画する。記録動作前の処理においては、出力ポート３１０およびモータ駆動部３１１を介して、キャッピングモータ３１５とヘッド移動モータ３１６を駆動し、それぞれの記録ヘッド２１０を対応するキャッピング機構から離して、それらを記録位置に移動させる。
【００２０】
その後、出力ポート３１０およびモータ駆動部３１１を介して、給紙トレイのアップダウンモータ３１２、ピックアップローラの駆動モータ３１３、および搬送モータ３１４等を駆動し、記録媒体２０１を記録位置に搬送する。記録媒体２０１は一定の速度で矢印Ａ方向に搬送され、先端検知センサ（図示せず）は、記録ヘッド２１０がインクを吐出し始めるタイミング（記録開始タイミング）を決定するために記録媒体２０１の先端位置を検出する。その後、記録媒体２０１の搬送に同期して、ＣＰＵ１３０８は、イメージメモリ３０４から記録ヘッド２１０Ｋ，２１０Ｃ，２１０Ｍ、２１０Ｙのそれぞれ対応する色の記録データを順次に読み出す。さらに、ＣＰＵ１３０８は、その読み出した記録データを記録ヘッド制御回路１３０９を介して対応する記録ヘッドに転送する。
【００２１】
ＣＰＵ１３０８は、プログラムＲＯＭ３０３に記憶された処理プログラムに基づいて、これらの処理を実行する。プログラムＲＯＭ３０３には、制御フローに対応する処理プログラム、および制御テーブルなどが記憶されている。また、作業用のメモリとしてワークＲＡＭ３０５が使用される。ＣＰＵ１３０８は、それぞれの記録ヘッド２１０Ｋ，２１０Ｃ，２１０Ｍ，２１０Ｙの回復処理等の動作時に、出力ポート３１０およびモータ駆動部３１１を介して、ポンプモータ３１７を駆動してインクの吸引等の制御を実行する。
【００２２】
図３（ａ）は、図１（ｂ）のＩＩＩａ部分の拡大図、図３（ｂ）は、その部分の要部の斜視図である。
【００２３】
記録ヘッド２１０において吐出口が形成される吐出口形成面と、記録媒体２０１の記録面と、間は、所定の距離に規定されている。また、記録媒体２０１は、搬送路４０２に沿って矢印Ａ方向に連続的に搬送される。記録ヘッド２１０の下方を通過した記録媒体２０１が記録ヘッド２１０と接触することを回避するために、拍車４０３が配置されている。
【００２４】
装置本体には、記録ヘッド２１０よりも記録媒体２０１の搬送方向の上流側に位置する塗布装置（液体付与装置）４０１が備えられている。この塗布装置４０１は、記録媒体２０１の表面（記録面）に接触する刷毛４０１Ａを用いて、その記録媒体２０１の表面に、水を主成分とする液体を塗布するための液体塗布部（図２参照）を構成する。以下、その液体を単に水ともいう。この水は、記録媒体２０１からの紙粉などの異物の飛散を防止するために塗布される。記録媒体２０１に対する水の塗布量は、刷毛４０１Ａと記録媒体２０１との接触面積に応じて調整される。本例においては、塗布装置４０１のアップダウンモータ３３３（図２参照）による刷毛４０１Ａの上下移動、および刷毛４０１Ａの回転による、刷毛４０１Aと記録媒体２０１との当接角度の変更によって水の塗布量を調整する。  刷毛４０１Ａに対する水の供給には、水タンク６０２と、その水タンク６０２内の水を吸い上げて含水している水供給用のスポンジ６０１と、を用いる。すなわち、記録媒体２０１が搬送されていないときに、刷毛４０１Ａの先端部分をスポンジ６０１に当てることにより、刷毛４０１Ａの毛管力によって、スポンジ６０１に含水されている水が刷毛４０１Ａに供給される。スポンジ６０１の上部には、記録媒体２０１とスポンジ６０１との直接的な接触を避けるための格子状の網６０３が配備されている。この網６０３は、刷毛４０１Ａとスポンジ６０１との接触は許容する。すなわち、刷毛４０１Ａの先端部分は、網６０３を通ってスポンジ６０１に接触する。
【００２５】
刷毛４０１Ａに対する水の供給方式は、このような吸水方式のみに限定されず任意であり、例えば、水タンク６０２を刷毛４０１Ａの上部に設置して、刷毛４０１Ａの根元の部分から水を供給するようにしてもよい。また、刷毛４０１Ａに供給する水は限定されず、例えば、水道水、軟水、硬水、天然水、人工水、蒸留水、イオン交換水、超純水などであってよい。また、その水に微量の無機物および／または有機物が混入していてもよい。
【００２６】
記録ヘッド２１０から吐出されるインクに関して情報は、例えば、インクを収容するインクタンクに備わるＲＯＭから取得することができ、その情報を反映させた記録条件を設定することが可能である。また、ユーザーが操作パネル１１０１を用いて記録条件を設定してもよい。本例の場合、インクとして染料インク（表面張力４０ｍＮ／ｍ、粘度２．０ｍＰａ・ｓ）を用い、このようなインクに関する情報は、それを収容するインクタンクのＲＯＭから取得する。
【００２７】
記録媒体２０１に対する水の塗布量は、基準と成る所定の中心条件下において基準値（中心値）が設定される。その中心条件は、本例の場合、環境温度が２３℃、環境湿度が５０％、記録媒体２０１が普通紙、インクが染料インク、記録媒体２０１の搬送速度が４００ｍｍ／ｓｅｃである。そして、温度などの変化に応じて、水の塗布量を調整する。
【００２８】
図４（ａ）は、上記の中心条件である温湿度（２３℃／５０％）における、記録媒体（普通紙）に対する水の塗布量と、インク（染料）の着弾によって形成したドットの径と、インクにじみ率に対応する２次元バーコードの記録品位と、の関係の説明図である。インクのにじみ率は、図３（ｃ）のように、インク滴の直径をＤ１、それが記録媒体に着弾して広がったときの直径をＤ２とした場合、（Ｄ２／Ｄ１）によって求められる。図４（ｂ）は、上記の中心条件である温湿度（２３℃／５０％）における、記録媒体（普通紙）の総水分量と、水の塗布量と、インク（染料）の着弾によって形成したドット径と、にじみ率と、２次元バーコードの記録品位のランクと、の関係の説明図である。本例の場合、中心条件の設定するための基準条件となる基準画像が２次元バーコードであり、その基準画像は２次元バーコードのみに限定されない。この標準画像の評価結果がランクであり、ランクＡ，Ｂ，Ｃ，Ｄの順に評価は低くなる。総水分量は、記録前の記録媒体の含水量と、記録媒体に対する水の塗布量と、を合計の量である。総水分量が４ｇ／ｍ2以下であれば２次元バーコードの記録品位（バーコード品位）がＢランク以上となる。
【００２９】
本例の場合、記録解像度は６００ｄｐｉ、記録媒体２０１の搬送速度（記録ヘッドと記録媒体との相対移動の速度）は４００ｍｍ／ｓｅｃである。また、記録媒体２０１の表面には、水が塗布されてから０．５ｓｅｃ以上の経過後に、記録ヘッド２１０から吐出されたインクが着弾する。記録パターンは２次元バーコード（種類：ＤａｔａＭａｔｏｒｉｘ、サイズ２０ｍｍ×２０ｍｍ、最小セルサイズ５００μｍ）であり、エリアファクターは６００ｄｐｉ×３００ｄｐｉである。記録媒体２０１に関する情報は、ユーザーによって入力される。本例の場合は、記録媒体２０１として、非コート紙である普通紙、普通紙よりより安価な廉価紙、またはインクジェット専用紙であるコート紙を選択することができ、それらの記録媒体に関する情報に応じて最適な記録条件が設定される。本例の場合は、温度と湿度の環境条件に応じて記録媒体２０１に対する水の塗布量を変更する。
【００３０】
具体的には、予め、環境の温度および湿度（温湿度）と水の塗布量とを関連付けた含有水分量テーブルを用意しておき、温湿度計により測定した温湿度に基づいて、含有水分量テーブルから水の塗布量を自動的に設定する。あるいは、温湿度計により測定した温湿度に基づいて、ユーザーが直接的に水の塗布量を設定する。また、記録前の記録媒体の含水量を水分量計により測定し、その測定値を受け取った装置本体によって、その測定値を水の塗布条件に反映させてもよい。例えば、マイクロ波を用いて含水量を測定する紙水分計ＭＸ−８０００（株式会社ケツト科学研究所社製、測定可能範囲：水分量１〜１５％、紙坪量３０〜４００ｇ／ｍ2）のような装置によって、記録媒体の水分量を測定することができる。この場合には、予め、記録媒体の含水量と、記録媒体に対する水の塗布量と、を関係付けたテーブルを用意しておき、記録前の記録媒体の含水量の測定値に基づいて、そのテーブルから水の塗布量を設定する。このような操作は、操作パネル１１０１またはホスト装置２０を用いて行うことができる。例えば、環境の温度が２３℃、湿度が５０％のときに、記録媒体２０１としての非コート紙の普通紙の含水率は６％（１．０ｇ／ｍ2）であった。
【００３１】
また、記録媒体の搬送速度に応じても水の塗布量を調整する。水の塗布条件が同じ場合に、記録媒体の搬送速度が高いときには、単位領域当たりの水の塗布量は少なくなり、その搬送速度が低いときには、単位領域当たりの水の塗布量は多くなる。そのため、記録媒体の搬送速度に応じても水の塗布量を制御する。
【００３２】
このように、水の塗布量は、温湿度、記録媒体とインクの種類、記録前の記録媒体の含水率、および記録媒体の搬送速度などの情報に基づいて決定される。
【００３３】
本例の場合は、前述したように、水を含ませた刷毛４０１Ａを記録媒体２０１の表面に接触させることによって、水を塗布する。また、その水としては純水（水質レベルＡ４）を使用した。水の長期の未使用を考慮して、純水を保管している容器内に、防カビ剤として機能するプロキセルや塩素などの物質を適量加えてもよい。水の塗布量は、刷毛４０１Ａが記録媒体２０１に接触する面積、および刷毛４０１Ａに含ませている水の量に応じて調整される。
【００３４】
本例の場合、刷毛４０１Ａとして、長さ１７ｍｍ、φ２３０μｍのナイロン製の繊維を２ｍｍ×６７ｍｍの範囲に備えたものであり、０．８ｇの水を含水される。この刷毛４０１Ａは、その先端部から根元部分の方向の１０ｍｍの範囲（接触範囲）が４５°の角度で記録媒体２０１の表面に接触することにより、４ｇ／ｍ2の水を塗布することができる。水の塗布量を減らすときは、刷毛４０１Ａの接触範囲を９ｍｍ以下として接触面積を小さくし、それを増やすときには、刷毛４０１Ａの接触範囲を１１ｍｍ以上として接触面積を大きくする。このような接触面積の変更は、刷毛４０１Ａをモータなどによって上下に移動させることによって行うことができる。刷毛４０１Ａの材質および構成条件は任意であり、記録媒体に対して必要量の水が塗布できればよい。
【００３５】
本例の刷毛４０１Ａは、長さ１７ｍｍ、φ２３０μｍのナイロン製の繊維を２ｍｍ×６７ｍｍの範囲に備えたものであり、０．８ｇの水を含水させた。この刷毛４０１Ａは、その先端部から根元部分の方向の１０ｍｍの範囲（接触範囲）が、４５°の角度で記録媒体２０１の表面に接触することにより、４ｇ／ｍ2の水を塗布することができる。水の塗布量を減らすときは、図１４（ａ）のように、モータＭなどによって塗布装置４０１を上方に移動させ、記録媒体２０１に対する刷毛４０１Ａの接触範囲を９ｍｍ以下として、それらの接触面積を小さくする。水の塗布量を増やすときには、図１４（ｂ）のように、モータＭなどによって塗布装置４０１を下方に移動させ、記録媒体２０１に対する刷毛４０１Ａの接触範囲を１１ｍｍ以上として、それらの接触面積を大きくする。
【００３６】
図１５は、水の塗布量と、刷毛４０１Ａの接触範囲と、の関係の説明図である。例えば、１．５ｇ／ｍ2の量の水を記録媒体２０１に塗布するときには、刷毛４０１Ａの接触範囲を３ｍｍにすればよい。また、５．０ｇ／ｍ2の量の水を記録媒体２０１に塗布するときには、刷毛４０１Ａの接触範囲を１３ｍｍにすればよい。刷毛４０１Ａの接触面積は、図１４（ａ），（ｂ）のように、刷毛４０１Ａを上下方向に移動させることによって調整できる。刷毛４０１Ａの材質および構成条件は任意であり、記録媒体２０１に対して必要量の水が塗布できればよい。
【００３７】
本例において、記録媒体における水の塗布領域は、記録ヘッド２１０から吐出されるインクが着弾する領域である。しかし、これに限定されず、インクが着弾しない非記録領域に対して水を塗布してもよく、また記録媒体の全面に水を塗布してもよい。
【００３８】
図５および図６は、水の塗布を含む画像の記録動作を説明するための要部の側面図である。
【００３９】
まず、図５（ａ）のように、記録媒体２０１が搬送されて塗布装置４０１の刷毛４０１Ａに近づいてから、図５（ｂ）のように、記録媒体２０１の表面に水が塗布される。その後、図６（ａ）のように、記録ヘッド２１０から吐出されたインクが記録媒体２０１に着弾して、画像が記録されてから、拍車４０３を経由して排出される。刷毛４０１Ａと対向する位置に記録媒体２０１が存在しないときには、刷毛４０１Ａは、網６０３（図３（ｂ）参照）を通してスポンジ６０１に接して、そのスポンジ６０１から水が供給される。
【００４０】
図７は、このような記録動作を説明するためのフローチャートである。
【００４１】
まず、装置本体における記録媒体とインクのセットを含む準備動作（ステップＳ１）の後、記録媒体とインクの有無を確認する（ステップＳ２）。記録媒体のセットミス、またはインクの残量がなかった場合には、再準備が指摘されてステップＳ１に戻る。
【００４２】
準備動作の完了を確認した後、記録前の記録媒体２０１に含まれている水分量に関する情報を入力する（ステップＳ３）。例えば、前述したように、その水分量を水分量計を用いて測定し、その測定値を自動的あるいは手動により入力する。この水分量に関する情報を入力する機能をもたない記録装置の場合には、その情報を未入力のまま次のステップＳ４に移行して、温湿度に関する情報を入力する。この温湿度に関する情報（温湿度情報）は、装置本体に予め備え付けられている温湿度の測定部（図２参照）３３１から自動的に入力することができる。しかし、装置本体とは別の温湿度計から入力してもよい。液体塗布量の計算部３３２は、このような温度と湿度を含む種々の記録条件に関する情報に基づいて、水の塗布量を計算する。
【００４３】
その後、使用する記録媒体２０１の種類に関する情報を入力する（ステップＳ５）。前述したように、本例の場合は、記録媒体２０１として廉価紙、普通紙、またはコート紙を選択する。次に、使用するインクの種類に関する情報を入力する（ステップＳ６）。本例の場合は、インクとして顔料、染料Ａ、染料Ｂのインクの中から選択する。次に、記録媒体２０１の搬送速度に関する情報を入力する（ステップＳ７）。次に、記録画像に関しての情報を読み込む（ステップＳ８）。
【００４４】
次に、ステップＳ３からＳ８において入力されて情報に基づいて、後述するように、それらの情報と水の塗布量との関係から水の塗布量を求める（ステップＳ９）。その後、記録媒体２０１の搬送を開始し（ステップＳ１０）、ステップＳ９にて算出した量の水を記録媒体２０１に塗布する（ステップＳ１１）。その後、記録ヘッド２１０からインクを吐出して記録媒体２０１に画像を記録してから（ステップＳ１２）、その記録媒体２０１を排出する（ステップＳ１３）。その後、同じ条件で水を塗布して画像を記録する場合には、その記録の障害（記録媒体およびインクの不足を含む）が発生していないことを条件として、先のステップＳ１０に戻って、記録媒体２０１の搬送、水の塗布、および画像の記録を繰り返す。このような動作を所望の枚数の記録媒体に対する繰り返した後、図７の記録動作を終了する。
【００４５】
図８（ａ）は、記録前における記録媒体の水分量（含水量）と、水の塗布量と、の関係の説明図である。図８（ｂ）は、温湿度と、記録媒体の水分量と、水の塗布量と、の関係の説明図である。例えば、温湿度が２３℃／５０％の場合、記録媒体の含水量は１．０ｇ／ｍ２であり、水の塗布量は４．０ｇ／ｍ２となる。このように４．０ｇ／ｍ２の水を記録媒体に塗布した後、その記録媒体に記録ヘッド２１０からインクを吐出する。この結果、記録媒体からの紙粉の飛散を抑制しつつ、インクのにじみを抑えて、Ｂランク以上の品位の二次元バーコードを記録することができる（図４（ｂ）参照）。二次元バーコードの記録品位の確認は、ムナゾウ株式会社製の二次元バーコード測定装置（ＷＥＢＳＣＡＮ  ＴｒｕＣｈｅｃｋ  ＴＣ４０１−Ｒ）を使用して行った。また、二次元バーコードの記録品位のランクとして、｛ＭＯＤ（モジュレーション）＝ＥＣｍｉｎ（最小エッジコントラスト）÷ＳＣ（シンボルコントラスト）｝を指標として判定としたランク（Ａ、Ｂ、Ｃ、Ｄ、ＮＤ）を用いた。
【００４６】
図９（ａ），（ｂ）は、それぞれ記録媒体（普通紙）の搬送速度と水の塗布量との関係の説明図である。図９（ａ）は、記録媒体の搬送速度を図９（ｂ）における中心条件の搬送速度から変更したときの水の塗布量の変化を示し、図９（ｂ）は、搬送速度４００［ｍｍ／ｓｅｃ］を中心として、搬送速度を２倍、１／２倍にしたときの水の塗布量を示す。
【００４７】
図９（ｃ）は、記録媒体の種類と、インクの種類と、水の塗布量と、の関係の説明図である。記録媒体に関しては、普通紙に対する水の塗布量を中心値として、廉価紙（普通紙よりもにじみ率が大きい安価な紙）とコート紙（インク受容層を備えたにじみ率の低い高級な紙）に対する水の塗布量を示す。インクに関しては、染料Ａのインクを用いたときの水の塗布量を中心値として、顔料Ａのインク（耐候性に優れたにじみ率の低い顔料インク）と、染料Ｂのインク（染料Ａよりもにじみ率の高い顔料インク）を用いたときの水の塗布量を示す。本例においては、図９（ｃ）のように記録媒体が普通紙であり、インクが染料であること、および図９（ｂ）のように記録媒体の搬送速度が４００ｍｍ／ｓｅｃであることが中心条件となっている。このように、実際の記録条件と中心条件との比較結果に基づいて、水の塗布量が調整される。
【００４８】
このように、温湿度、記録媒体とインクの種類、記録前の記録媒体の含水率、および記録媒体の搬送速度などの情報に基づいて決定された量の水を記録媒体に塗布する。これにより、記録媒体から紙粉などの異物の飛散を抑制しつつ、記録画像の品位を維持することができる。
【００４９】
（第２の実施形態）
図１０（ａ）は、本発明を適用可能なシリアルスキャン方式のインクジェット記録装置の斜視図、図１０（ｂ）は、その記録装置と同方式の記録装置１００の内部の概略構成図である。
【００５０】
図１０（ｂ）において、記録装置１００の給紙位置から挿入された記録媒体１０６は、送りローラ１０９によって、インクジェット記録ヘッドユニット１０２と対向する記録可能領域を通して、矢印Ｙの副走査方向に搬送される。記録可能領域における記録媒体１０６の下部には、プラテン１０８が設けられる。キャリッジ１０１は、ガイド軸１０４，１０５によって、副走査方向と交差（本例の場合は、直交）する矢印Ｘの主走査方向に移動可能にガイドされている。矢印Ｘ１は、後述するホームポジションから遠ざかる方向の往方向であり、矢印Ｘ２は、それとは逆の復方向である。記録ヘッドユニット１０２は、複数色のインクを吐出可能なインクジェット記録ヘッドと、記録媒体１０６からの紙粉などの異物の飛散を抑制するための水を吐出可能な液体吐出ヘッドと、それらのヘッドにインクおよび水を供給するためのタンクと、を含む。これらの記録ヘッドと液体吐出ヘッドは同様の構成であるため、それらを記録ヘッドともいう。このような記録ヘッドユニット１０２は、キャリッジ１０１に搭載される。本例にて、記録ヘッドから吐出されるインクは、黒（Ｂｋ），シアン（Ｃ），マゼンタ（Ｍ），イエロー（Ｙ）のインクの４色である。キャリッジ１０１が移動可能な領域の左端には回復系ユニット１１０が備えられており、非記録動作時に、記録ヘッドの吐出口部をキャッピングする。回復系ユニット１１０の位置を記録ヘッドのホームポジションともいう。操作部１１７には、記録装置の電源のオン／オフおよび各種記録モードの設定時等に使用されるスイッチ部と、記録装置の状態を表示する表示部と、が配備されている。
【００５１】
図１１（ａ）は、記録ヘッドユニット１０２の斜視図である。記録ヘッドユニット１０２には、黒，シアン，マゼンタ，イエローの各色インクを収容するインクタンク１２０Ｋ，１２０Ｃ，１２０Ｍ，１２０Ｙ、および水を収容するタンク１２０Ｐがそれぞれ独立して交換可能に搭載されている。これらのタンク１２０Ｋ，１２０Ｃ，１２０Ｍ，１２０Ｙ，１２０Ｐをまとめてタンク１２０ともいう。タンク１２０の構成は、本例の構成のみに特定されず任意である。例えば、黒インクを収容するタンク１２０Ｋと、水を収容するタンク１２０Ｐは一体構造であってもよく、またシアン，マゼンタ，イエローのインクを収容するタンク１２０Ｃ，１２０Ｍ，１２０Ｙは一体構造であってもよい。
【００５２】
図１１（ｂ）は、記録ヘッドユニット１０２に備わる記録ヘッド１０３を吐出口側から見た拡大図である。記録ヘッド１０３は、電気熱変換素子（ヒータ）やピエゾ素子などの吐出エネルギー発生素子を用いて、複数の吐出口からインクおよび水が吐出可能である。水を吐出するための複数の吐出口は吐出口群（ノズル群）１０３Ｐを形成するように配列され、黒インクを吐出するための複数の吐出口は吐出口群１０３Ｋを形成するように配列される。同様に、シアンインクを吐出するための複数の吐出口は吐出口群１０３Ｃを形成し、マゼンタインクを吐出するための複数の吐出口は吐出口群１０３Ｍを形成し、イエローインクを吐出するための複数の吐出口は吐出口群１０３Ｙを形成する。これらの吐出口群は、記録ヘッドユニット１０２がホームポジションから遠ざかる矢印Ｘ１の往方向において、吐出口群１０３Ｐが移動方向の先頭側（下流側）に位置し、吐出口群１０３Ｙが移動方向の最後尾側（上流側）に位置するように、配列されている。
【００５３】
吐出口群１０３Ｐから吐出される水が記録媒体１０６に付与される領域は、他の吐出口群１０３Ｋ，１０３Ｃ，１０３Ｍ，１０３Ｙから吐出されるインクが着弾する領域であればよい。また、インクが着弾しない記録媒体１０６上の非記録領域に対して水を付与してもよく、また記録媒体１０６の全面に水を付与してもよい。また、吐出口群１０３Ｋ，１０３Ｃ，１０３Ｍ，１０３Ｙ，１０３Ｐをまとめて吐出口群１０３ともいう。
【００５４】
図１２（ａ）は、記録装置の制御系のブロック図である。
【００５５】
システムコントローラ３０１は記録装置全体を制御するものであり、その内部には、マイクロプロセッサの他、制御プログラムが収納されている記憶素子（ＲＯＭ）、マイクロプロセッサが処理を実行する際に使用する記憶素子（ＲＡＭ）等が配備されている。ドライバ３２２は、キャリッジ１０１を主走査方向に移動させるためのキャリッジモータ３２４を制御し、ドライバ３２３は、副走査方向に記録媒体１０６を搬送させる搬送モータ３２５を制御する。モータ３２４，３２５は、ドライバ３２２，３２３からの速度および移動距離などの制御信号に応じて動作する。
【００５６】
ホストコンピュータなどのホスト装置３０６は、記録装置に対して、記録データを含む種々の情報を転送する。受信バッファ３０７は、ホスト装置３０６からの受信データを一時的に格納し、システムコントローラ３０１によってデータが読み込まれるまで受信データを蓄積しておく。フレームメモリ３０８は、記録すべきデータ（水の吐出データを含む）をイメージデータに展開するためのメモリである。本例の場合は、フレームメモリ３０８として、黒，シアン，マゼンタ，イエローの各色インク、および水を吐出するためのデータに対応するフレームメモリ３０８Ｋ，３０８Ｃ，３０８Ｍ，３０８Ｙ、および３０８Ｐが備えられている。本例のフレームメモリ３０８は、記録媒体１０６の１枚分の記録データの記憶が可能である。そのフレームメモリ３０８のメモリサイズには限定されない。
【００５７】
記憶素子３０９は、記録すべきデータ（水の吐出データを含む）を一時的に記憶する素子であり、記録ヘッド１０３に備わる吐出口の数によって記憶容量は異なる。本例の場合は、記憶素子３０９として、黒，シアン，マゼンタ，イエローの各色インク、および水を吐出するためのデータに対応する記憶素子３０９Ｋ，３０９Ｃ，３０９Ｍ，３０９Ｙ、および３０９Ｐが備えられている。記録制御部３２０は、システムコントローラ３０１からの指令に基づいて記録ヘッド１０３を制御する。具体的には、記録速度および記録データ数などを制御する共に、吐出口群１０３Ｐからの水の吐出量（付与量）も制御する。ドライバ３２１は、記録制御部３２０からの制御信号に基づいて、記録ヘッド１０３における吐出口群１０３Ｋ，１０３Ｃ，１０３Ｍ，１０３Ｙ，１０３Ｐのそれぞれの吐出口に対応する吐出エネルギー発生素子を駆動する。
【００５８】
本例の記録装置は、ワードプロセッサ、パーソナルコンピュータ、ファクシミリ装置、複写装置としての機能を有する情報処理装置に組み込むことができる。図１２（ｂ）は、本例の記録装置を提供可能な情報処理装置の構成例を説明するためのブロック図である。
【００５９】
制御部１８０１は情報処理装置全体の制御を行ない、マイクロプロセッサ等のＣＰＵ、および各種Ｉ／Ｏポートを備えており、情報処理の各部に対する制御信号およびデータ信号等の出力、および各部からの制御信号やデータ信号の入力を制御する。ディスプレイ部１８０２は、その表示画面に、各種メニュー、文書情報、およびイメージリーダ部１８０７によって読み取られたイメージデータ等を表示する。ディスプレイ部１８０２上には、透明な感圧式のタッチパネル１８０３が設けられており、ユーザーが指等によってその表面を押圧することにより、ディスプレイ部１８０２上において、設定項目の入力および座標位置の入力等を行なうことができる。
【００６０】
ＦＭ（Ｆｒｅｑｕｅｎｃｙ  Ｍｏｄｕｌａｔｉｏｎ）音源部１８０４は、音楽エディタ等によって作成された音楽情報をメモリ部１８１０あるいは外部記憶装置１８１２にデジタルデータとして記憶しておき、それらメモリ等から読み出してＦＭ変調を行なう。ＦＭ音源部１８０４からの電気信号は、スピーカ部１８０５により可聴音に変換される。記録部１８０６は本例の記録装置であり、ワードプロセッサ、パーソナルコンピュータ、ファクシミリ装置、および複写装置の出力端末として適用される。イメージリーダ部１８０７は、原稿の搬送経路途中に配備されており、ファクシミリ原稿および複写原稿の他各種原稿のデータ（原稿データ）を光電的に読み取る。ＦＡＸ（ファクシミリ）送受信部１８０８は外部とのインターフェース機能を有しており、イメージリーダ部１８０７によって読み取られた原稿データのファクシミリ送信、および送られてきたファクシミリ信号を受信して復号する。電話部１８０９は、通常の電話機能および留守番電話機能等の各種電話機能を有する。メモリ部１８１０は、システムプログラム、マネージャプログラム、その他のアプリケーションプログラム、文字フォント、辞書等を記憶するＲＯＭと、外部記憶装置１８１２からロードされたアプリケーションプログラム、文書情報等を記憶するＲＡＭを含む。キーボード部１８１１からは、文書情報や各種コマンド等が入力される。外部記憶装置１８１２は、ハードディスク等を記憶媒体とし、文書情報、音楽、音声情報、およびユーザーのアプリケーションプログラム等が格納される。
【００６１】
次に、水の吐出を含む記録動作について説明する。
【００６２】
記録に使用するインクに関する情報は、それらを収容するインクタンクに備わるＲＯＭから受け取ることができ、その情報を反映した最適な記録条件を自動的に設定することができる。また、インクに関する情報は、ユーザーが操作パネルなどから入力してもよい。本例の場合は、表面張力が３５ｍＮ／ｍ、粘度が２．５ｍＰａ・ｓの顔料インクを使用し、インクタンクの装着時に、そのインクタンクに備わるＲＯＭから情報を受け取る。
【００６３】
記録媒体に対する水の付与量（以下、「付与量」ともいう）は、基準となる所定の中心条件下において基準値（中心値）が設定される。その中心条件（基準記録条件）は、前述した実施形態と同様に、温度が２３℃、湿度が５０％、記録媒体が普通紙、インクが染料インク、記録媒体の搬送速度が４００ｍｍ／ｓｅｃである。そして、それらの温度などの変化に応じて、図４（ａ），（ｂ）のように水の塗布量を調整する。総水分量が４ｇ／ｍ2以下であれば２次元バーコードの記録品位（バーコード品位）がＢランク以上となる。また、前述した実施形態と同様に、記録前における記録媒体の水分量（含水量）と、水の塗布量と、は、図８（ａ）の関係にあり、温湿度と、記録媒体の水分量と、水の塗布量と、は、図８（ｂ）の関係にある。また、前述した実施形態における図９（ａ），（ｂ）の記録媒体の搬送速度と水の塗布量との関係は、記録ヘッドの走査速度と水の塗布量との関係に対応する。また、また、前述した実施形態と同様に、記録媒体と、インクの種類と、水の塗布量と、は、図９（ｃ）の関係にある。
【００６４】
本例の場合、記録解像度は６００ｄｐｉ、記録ヘッド１０３共に移動するキャリッジ１０１の移動速度は２００ｍｍ／ｓｅｃであり、記録媒体１０６の表面には、水が塗布されてから０．５ｓｅｃ以上の経過後に、記録ヘッド１０３から吐出されたインクが着弾する。記録パターンは２次元バーコード（種類：ＤａｔａＭａｔｏｒｉｘ、サイズ２０ｍｍ×２０ｍｍ、最小セルサイズ５００μｍ）であり、エリアファクターは６００ｄｐｉ×３００ｄｐｉである。記録媒体２０１に関する情報は、ユーザーによって入力される。本例の場合は、記録媒体１０６として、非コート紙である普通紙、普通紙よりより安価な廉価紙、またはインクジェット専用紙であるコート紙を選択することができ、それらの記録媒体に関する情報に応じて最適な記録条件が設定される。本例の場合は、温度と湿度の環境条件に応じて記録媒体１０６に対する水の塗布量を変更する。
【００６５】
具体的には、予め、環境の温度および湿度（温湿度）と水の塗布量とを関連付けた含有水分量テーブルを用意しておき、温湿度計により測定した温湿度に基づいて、含有水分量テーブルから水の塗布量を自動的に設定する。あるいは、温湿度計により測定した温湿度に基づいて、ユーザーが直接的に水の塗布量を設定する。また、記録前の記録媒体の含水量を水分量計により測定し、その測定値を受け取った装置本体によって、その測定値を水の塗布条件に反映させてもよい。例えば、マイクロ波を用いて含水量を測定する紙水分計ＭＸ−８０００（株式会社ケツト科学研究所社製、測定可能範囲：水分量１〜１５％、紙坪量３０〜４００ｇ／ｍ2）のような装置によって、記録媒体の水分量を測定することができる。この場合には、予め、記録媒体の含水量と、記録媒体に対する水の塗布量と、を関係付けたテーブルを用意しておき、記録前の記録媒体の含水量の測定値に基づいて、そのテーブルから水の塗布量を設定する。このような操作は、操作パネル１１０１またはホスト装置２０を用いて行うことができる。例えば、環境の温度が２３℃、湿度が５０％のときに、記録媒体２０１としての非コート紙の普通紙の含水率は６％（１．０ｇ／ｍ2）であった。
【００６６】
また、記録ヘッド１０３の矢印Ｘ１方向の走査速度に応じても水の塗布量を調整する。水の塗布条件が同じ場合に、記録ヘッド１０３の走査速度が高いときには、単位領域当たりの水の塗布量は少なくなり、その走査速度が低いときには、単位領域当たりの水の塗布量は多くなる。そのため、記録ヘッド１０３の走査速度に応じても水の塗布量を制御する。
【００６７】
このように、水の塗布量は、温湿度、記録媒体とインクの種類、記録ヘッド１０３の走査速度の情報に基づいて決定される。例えば、温度が１５℃、湿度が１０％、記録媒体がコート紙、記録前の記録媒体の含水率が３％（０．２ｇ／ｍ２）、インクが顔料インク、記録ヘッド１０３の走査速度が２００ｍｍ／ｓｅｃの場合、それらの情報に基づいて、インクの塗布量が決定される。本例における水の塗布方式は、記録ヘッド１０３の吐出口群１０３Ｐから吐出させる噴霧方式である。その水としては、純水（水質レベルＡ４）を使用した。水の長期の未使用を考慮して、純水を保管している容器内に、防カビ剤として機能するプロキセルや塩素などの物質を適量加えてもよい。
【００６８】
図１３（ａ），（ｂ）のように、記録ヘッド１０３の吐出口群１０３Ｐは、インク吐出用の他の吐出口群よりも矢印Ｘ１の記録走査方向の下流側（同図中の右側）に位置するため、その記録走査中は、先に水が吐出されてからインクが吐出される。つまり、吐出口群１０３Ｐから水が噴霧された記録媒体１０６の領域に対して、インク吐出用の他の吐出口群からインクが着弾することになる。このように、記録媒体１０６に最適な量の水を噴霧することにより、記録媒体１０６から紙粉などの異物の飛散を抑制しつつ、記録画像の品位を維持することができる。このような水の吐出を含む記録動作は、図７のフローチャートに基づいて説明した前述した実施形態の記録動作と同様である。
【００６９】
水の塗布量は、例えば、温度が１５℃、湿度が１０％の環境の場合、記録媒体の含水率に応じて塗布できる水の量は、図８（ｂ）の関係から４．８［ｇ／ｍ2］となる。そして、記録媒体がコート紙、インクが顔料インクである場合には、図９（ｃ）の関係から、水の塗布量が＋１３％となる。さらに、記録ヘッドの走査速度が２００［ｍｍ／ｓｅｃ］である場合には、水の塗布量を減らすため×１／２倍とする。これらの加味した結果、水の塗布量は２．４ｇ［ｇ／ｍ2］となり、この水が吐出口群１０３Ｐから吐出される。その後に、図１３（ｂ）のように、水が吐出された記録媒体１０６上の領域に、インクによって画像が記録される。図１３（ｂ）においては、ノズル群１０３Ｍから吐出されたマゼンタインクによって、Ｂランク以上の高品位の二次元バーコードが記録される。
【００７０】
（他の実施形態）
本発明は、上述したようなインクジェット記録装置に対してのみならず、インクを付与することによって画像を記録可能な種々の記録方式の記録装置に対して広く適用することができる。
【００７１】
また、記録条件に関する情報としては、環境温度、環境湿度、記録媒体の種類、記録媒体の含水量、およびインクの種類の他、記録画像の種類に関する情報等、インクのにじみに影響する種々の情報を含めて、液体の付与量に反映させることができる。具体的には、記録媒体の含水量が多いほど液体の付与量を少なくする調整、およびインクのにじみ率が大きいほど液体の付与量を少なくする調整に加えて、他の情報に基づく調整を組み合わせることができる。具体的には、記録画像の種類に関する情報も液体の付与量に反映させることができる。例えば、記録画像がテキストのみであって、バーコードを含まない場合には、記録媒体１０６から紙粉などの異物の飛散の抑制を優先させて、水の塗布量を増加させる。また、記録精度の要求度が高いバーコードを含む画像を記録する場合には、画像品位の維持を優先させて、水の塗布量を減少させる。このように、記録精度の要求度が異なる記録画像等、様々な記録画像の種類に応じて水の塗布量を調整することにより、記録媒体１０６から紙粉などの異物の飛散を抑制しつつ、記録画像の品位を維持することができる。
【符号の説明】
【００７２】
１０  記録装置
２０１  記録媒体
２０４  搬送ベルト
２１０  記録ヘッド
３０８  ＣＰＵ
４０１  液体塗布部
４０１Ａ  刷毛
６０１  スポンジ
６０２  水タンク
【図１】
2017121741.tif 000003
【図２】
2017121741.tif 000004
【図３】
2017121741.tif 000005
【図４】
2017121741.tif 000006
【図５】
2017121741.tif 000007
【図６】
2017121741.tif 000008
【図７】
2017121741.tif 000009
【図８】
2017121741.tif 000010
【図９】
2017121741.tif 000011
【図１０】
2017121741.tif 000012
【図１１】
2017121741.tif 000013
【図１２】
2017121741.tif 000014
【図１３】
2017121741.tif 000015
【図１４】
2017121741.tif 000016
【図１５】
2017121741.tif 000017